(57)【要約】【課題】不用意に脱落する事態を招来することなくフレーム材への取り付けを容易化すること。【解決手段】建具用網体４０は、樹脂材によって四辺を有する枠状に構成し、四辺のそれぞれが建具のフレーム材３１に設けられた収容溝３１ａに挿入される枠部４２と、枠部４２の四辺によって囲まれた開口を覆うように枠部４２に支持させた網状部４１と、枠部４２の内部に長手方向に沿って延在し、かつ無端状となるように配設した金属製の芯材４３とを備える。【選択図】図１
2017057691.tif 000002
【特許請求の範囲】
【請求項１】
樹脂材によって枠状に構成し、建具のフレーム材に設けられた収容溝に挿入される枠部と、
前記枠部の開口を覆うように前記枠部に支持させた網状部と、
前記枠部の内部に長手方向に沿って配設した金属製の芯材と
を備えたことを特徴とする建具用網体。
【請求項２】
前記芯材は、板幅に対して板厚の小さい扁平矩形の断面を有した平角線であり、扁平した表面が前記網状部の平面に対して直交する姿勢で前記枠部の内部に配設したことを特徴とする請求項１に記載の建具用網体。
【請求項３】
前記枠部は、外周側縁部に外周に向かうに従って見込み寸法が漸減するテーパ状部を有したことを特徴とする請求項１または請求項２に記載の建具用網体。
【請求項４】
前記枠部は、前記芯材の周囲を覆う枠基部と、前記枠基部の内周側見込み面から内周側に突出し、互いの間に前記網状部の縁部を挟持する一対の支持片とを有したものであり、
前記一対の支持片は、前記枠基部からの突出長さが互いに異なることを特徴とする請求項１〜請求項３のいずれか１項に記載の建具用網体。
【請求項５】
前記枠基部の見付け面から突出するように係合部を設けたことを特徴とする請求項４に記載の建具用網体。
【請求項６】
前記枠部の内周側に突出するように引き手を設けたことを特徴とする請求項１に記載の建具用網体。
【請求項７】
請求項１〜請求項６のいずれか一つに記載の網体と、
フレーム材によって枠状に構成した支持枠体と
を備え、前記フレーム材に収容溝を設け、前記網体の枠部を前記フレーム材の収容溝に挿入することによって前記フレーム材に前記網体を支持させたことを特徴とする建具。
【請求項８】
前記フレーム材の収容溝は、見込み方向に沿って延在するフレーム基部の見付け面から互いに対向するように突出した一対の側壁部の相互間に構成したものであり、
少なくとも前記枠部の一つの辺が挿入される収容溝は、前記側壁部の一方が前記フレーム基部に対して着脱可能に取り付けたものであることを特徴とする請求項７に記載の建具。
【請求項９】
前記フレーム材の収容溝は、見込み方向に沿って延在するフレーム基部の見付け面から互いに対向するように突出した一対の側壁部の相互間に構成したものであり、
少なくとも前記枠部の一つの辺が挿入される収容溝は、前記一対の側壁部の内周側への突出高さが互いに異なることを特徴とする請求項７に記載の建具。
【発明の詳細な説明】
【技術分野】
【０００１】
本発明は、建具用網体及び網体を備えた建具に関するものである。
【背景技術】
【０００２】
可動障子を備えた建具には、障子を開いた際の防虫のため、網戸が設けられている。網戸は、縦框及び横框を四周框組みすることによって構成された矩形の枠状を成す框と、框によって囲まれた開口を覆うように框に支持された網体とを備えて構成されている。この種の網戸を備える建具では、網戸によって網の目よりも大きな異物の通過が阻止されるため、虫の進入を防止した上で室外との通気を行うことが可能となる。
【０００３】
網戸の網体を框に支持させる方法としては、ビードと称される紐状の弾性材とともに網体の周縁部を框の装着溝に装着するのが一般的である。この方法は、框の装着溝に対してビードを着脱すれば、網体の交換が可能になる等の利点がある。しかしながら、網体に張力を加えた状態でビードを装着溝に装着する作業は必ずしも容易ではなく、網体が弛む等の問題を招来するおそれがある。特に、ＤＩＹによって網体の交換を行った場合には、上述した問題が顕著となる。
【０００４】
一方、建具に装着する網体としては、特許文献１に記載されたものも提供されている。すなわち、特許文献１の網体は、網状部の周囲に枠状となる部分を接合することによって構成されたものである。枠状部分は、ゴム製芯材の周囲をゴム系の素材で被覆することにより構成されている。枠状部分の外周側縁部には、サッシ枠等のフレーム材に設けられたフックを挿入するための孔が設けられている。この網体によれば、フックを孔に挿入して引掛けることにより、容易にフレーム材に取り付けることが可能となる。
【先行技術文献】
【特許文献】
【０００５】
【特許文献１】特開平１１−１５９２６４号公報
【発明の概要】
【発明が解決しようとする課題】
【０００６】
上述の特許文献１に記載された網体は、網状部、枠状部分及び芯材がすべて伸縮可能な部材によって成形されたものであり、伸張させた状態でフックに引掛けられるため、網状部が弛むおそれはない。しかしながら、経年劣化によって枠状部分に硬化が生じた場合には、網状部に張力が作用しなくなり、フックから容易に脱落するおそれがある。
【０００７】
本発明は、上記実情に鑑みて、不用意に脱落する事態を招来することなくフレーム材への取り付けを容易化することのできる建具用網体及びこれを備えた建具を提供することを目的とする。
【課題を解決するための手段】
【０００８】
上記目的を達成するため、本発明に係る建具用網体は、樹脂材によって枠状に構成し、建具のフレーム材に設けられた収容溝に挿入される枠部と、前記枠部の開口を覆うように前記枠部に支持させた網状部と、前記枠部の内部に長手方向に沿って配設した金属製の芯材とを備えたことを特徴とする。
【０００９】
この発明によれば、枠部の内部に長手方向に沿って配設した金属製の芯材が枠部の外形形状を維持するように機能する。従って、枠部をフレーム材の収容溝に挿入する際の作業を容易に行うことができるとともに、収容溝からから不用意に脱落するおそれがない。
【００１０】
また本発明は、上述した建具用網体において、前記芯材は、板幅に対して板厚の小さい扁平矩形の断面を有した平角線であり、扁平した表面が前記網状部の平面に対して直交する姿勢で前記枠部の内部に配設したことを特徴とする。
【００１１】
この発明によれば、芯材を弾性変形させることで枠部の外形形状を適宜変更することが可能となり、フレーム材の収容溝への挿入作業をさらに容易化することができる。
【００１２】
また本発明は、上述した建具用網体において、前記枠部は、外周側縁部に外周に向かうに従って見込み寸法が漸減するテーパ状部を有したことを特徴とする。
【００１３】
この発明によれば、テーパ状部をガイドとして枠部の収容溝への挿入作業をさらに容易化することができる。
【００１４】
また本発明は、上述した建具用網体において、前記枠部は、前記芯材の周囲を覆う枠基部と、前記枠基部の内周側見込み面から内周側に突出し、互いの間に前記網状部の縁部を挟持する一対の支持片とを有したものであり、前記一対の支持片は、前記枠基部からの突出長さが互いに異なることを特徴とする。
【００１５】
この発明によれば、網状部を支持片の相互間に挿入する際に突出長さの大きな支持片がガイドとなるため、その作業を容易化することができる。
【００１６】
また本発明は、上述した建具用網体において、前記枠基部の見付け面から突出するように係合部を設けたことを特徴とする。
【００１７】
この発明によれば、枠部をフレーム材の収容溝に挿入した際に係合部をフレーム材に係合させることで収容溝からの不用意な脱落を防止することができる。
【００１８】
また本発明は、上述した建具用網体において、前記枠部の内周側に突出するように引き手を設けたことを特徴とする。
【００１９】
この発明によれば、引き手を引くことで枠部をフレーム材の収容溝から容易に取り出すことができ、網体を交換する際の作業を容易化することができる。
【００２０】
また本発明に係る建具は、上述したいずれか一つに記載の網体と、フレーム材によって枠状に構成した支持枠体とを備え、前記フレーム材に収容溝を設け、前記網体の枠部を前記フレーム材の収容溝に挿入することによって前記フレーム材に前記網体を支持させたことを特徴とする。
【００２１】
この発明によれば、枠部の内部に長手方向に沿って配設した金属製の芯材が枠部の外形形状を維持するように機能する。従って、枠部をフレーム材の収容溝に挿入する際の作業を容易に行うことができるとともに、収容溝からから不用意に脱落するおそれがない。
【００２２】
また本発明は、上述した建具において、前記フレーム材の収容溝は、見込み方向に沿って延在するフレーム基部の見付け面から互いに対向するように突出した一対の側壁部の相互間に構成したものであり、少なくとも前記枠部の一つの辺が挿入される収容溝は、前記側壁部の一方が前記フレーム基部に対して着脱可能に取り付けたものであることを特徴とする。
【００２３】
この発明によれば、一方の側壁部をフレーム基部から取り外すことにより、枠部をフレーム材の収容溝に挿入する際の作業を容易化することができる。
【００２４】
また本発明は、上述した建具において、前記フレーム材の収容溝は、見込み方向に沿って延在するフレーム基部の見付け面から互いに対向するように突出した一対の側壁部の相互間に構成したものであり、少なくとも前記枠部の一つの辺が挿入される収容溝は、前記一対の側壁部の内周側への突出高さが互いに異なることを特徴とする。
【００２５】
この発明によれば、枠部をフレーム材の収容溝に挿入する際に大きく突出した側壁部がガイドとなるため、その作業を容易化することができる。
【発明の効果】
【００２６】
本発明によれば、枠部の内部に長手方向に沿って配設した金属製の芯材が枠部の外形形状を維持するように機能するため、枠部をフレーム材の収容溝に挿入する際の作業を容易に行うことができるとともに、収容溝から不用意に脱落するおそれがない。
【図面の簡単な説明】
【００２７】
【図１】図１は、本発明の実施の形態１である建具用網体を適用した建具の縦断面図である。
【図２】図２は、図１に示した建具の横断面図である。
【図３】図３は、図１に示した建具に適用する建具用網体の図である。
【図４】図４は、図３に示した建具用網体の断面図である。
【図５】図５は、図３に示した建具用網体の要部を示したもので、（ａ）は分解斜視図、（ｂ）は網状部を枠部に取付状態の斜視図である。
【図６】図６は、本発明の実施の形態２である建具用網体を適用した建具の縦断面図である。
【図７】図７は、図６に示した建具の横断面図である。
【図８】図８は、図６に示した建具に適用する建具用網体の図である。
【図９】図９は、図８に示した建具用網体の断面図である。
【図１０】図１０は、図８に示した建具用網体の枠部を示す部分斜視図である。
【図１１】図１１は、図１０に示した枠部の要部拡大図である。
【図１２】図１２は、図８に示した建具用網体の要部を示したもので、（ａ）は分解斜視図、（ｂ）は網状部を枠部に取付状態の斜視図である。
【図１３】図１３は、図６に示した建具の要部を拡大した横断面図である。
【発明を実施するための形態】
【００２８】
以下、添付図面を参照しながら本発明に係る建具用網体及び建具の好適な実施の形態について詳細に説明する。
【００２９】
（実施の形態１）
図１及び図２は、本発明の実施の形態１である建具用網体を適用した建具を示したものである。ここで例示する建具は、開口枠１０の下枠１１に設けたオペレータハンドルＨの操作により、開口枠１０に対して障子２０が室外側に向けて突出するように開く縦すべり出し窓と称されるものである。この建具には、開口枠１０の上枠１２、下枠１１及び左右の縦枠１３において閉じた障子２０よりも室内側となる部位にそれぞれフレーム材３１，３２，３３が設けてあり、フレーム材３１，３２，３３によって構成される矩形の支持枠体３０に網体４０が支持させてある。
【００３０】
フレーム材３１，３２，３３は、アルミニウム合金や硬質の樹脂によって成形した押し出し形材であり、全長にわたってほぼ一様な断面を有するもので、各枠１１，１２，１３の見付け面に取り付けてある。それぞれのフレーム材３１，３２，３３には、内周側の見込み面に開口する収容溝３１ａ，３２ａ，３３ａが設けてある。収容溝３１ａ，３２ａ，３３ａは、四周で連続するように、各枠１１，１２，１３において見込み方向の位置が互いに同一、かつ開口の見込み方向に沿った寸法がほぼ同一となるように形成してある。
【００３１】
上枠１２に設けた上方フレーム材３２及び下枠１１に設けた下方フレーム材３１については、図１に示すように、それぞれ見込み方向に沿ったフレーム基部３２ｂ，３１ｂの見付け面から内周側に向けて互いに対向するように突出した一対の側壁部３２ｃ，３１ｃを有しており、これら側壁部３２ｃ，３１ｃの相互間に収容溝３１ａ，３２ａが構成してある。図からも明らかなように、本実施の形態１では、下方フレーム材３１の室内側に設けた側壁部３１ｃが、上方フレーム材３２の室内側に設けた側壁部３２ｃよりも室内側に位置しており、それぞれの室外側の側壁部３２ｃ，３１ｃとの間の隙間は上方フレーム材３２よりも下方フレーム材３１の方が大きくなっている。但し、下方フレーム材３１の室内側に設けた側壁部３１ｃは、突出端が室外側に向けて直角に屈曲している。従って、収容溝３１ａ，３２ａの開口幅については、上方フレーム材３２と下方フレーム材３１とで互いに等しくなっている。
【００３２】
これに対して左右の縦枠１３に設けた側方フレーム材３３については、図２に示すように、それぞれ見付け方向に沿ったフレーム基部３３ｂの見付け面において室外側となる部位から内周側に向けて突出した側壁部３３ｃと、フレーム基部３３ｂの見付け面において室内側となる部位から内周側に向けて突出した係合壁部３３ｄとを有しており、係合壁部３３ｄに取り付けた別体の側壁部材（側壁部）３４と室外側の側壁部３３ｃとの間に収容溝３３ａが構成してある。係合壁部３３ｄは、フレーム基部３３ｂから内周側への突出高さが側壁部３３ｃよりも小さく構成したものである。側方フレーム材３３の係合壁部３３ｄ及び側壁部３３ｃには、係合壁部３３ｄの突出端となる位置に互いに対向するようにそれぞれ係合条片３３ｅが設けてある。
【００３３】
側方フレーム材３３とは別体の側壁部材３４は、側方フレーム材３３と同じ材質によって成形した押し出し形材であり、全長にわたってほぼ一様な断面を有している。この側壁部材３４は、側壁構成部３４ａ及び引掛片部３４ｂを有している。側壁構成部３４ａは、側壁部３３ｃに対向するように配置される平板状部分である。側壁構成部３４ａには、外周側となる縁部に係合突起３４ｃ及び突当部３４ｄが設けてある。係合突起３４ｃは、側壁構成部３４ａの室内に臨む見付け面から室内側に突出した部分であり、外周側に向けて漸次突出高さが小さくなるように形成してある。突当部３４ｄは、側壁構成部３４ａの室内に臨む見付け面から室内側に向けてほぼ直角に突出した部分であり、係合突起３４ｃよりも内周側となる部位に設けてある。係合突起３４ｃと突当部３４ｄとの間には、係合壁部３３ｄに設けた係合条片３３ｅを収容することのできる隙間が確保してある。引掛片部３４ｂは、側壁構成部３４ａにおいて室外に臨む表面から室外に向けて漸次外方に傾斜するように延在した薄板状部分である。引掛片部３４ｂの延在端部には、室外に向けて漸次内方に傾斜するように延在した係止部３４ｅが設けてある。
【００３４】
上述の構成を有する側壁部材３４は、斜めの姿勢として引掛片部３４ｂを側壁部３３ｃの係合条片３３ｅとフレーム基部３３ｂとの間に挿入し、その後、側壁構成部３４ａの係合突起３４ｃを側壁部３３ｃと係合壁部３３ｄとの間に挿入し、係合壁部３３ｄの引掛片部３４ｂを係合突起３４ｃと突当部３４ｄとの間に位置させることにより、それぞれの側方フレーム材３３に取り付けられる。この状態においては、側方フレーム材３３の側壁部と側壁部材３４の側壁構成部３４ａとが互いに対向し、互いの間に収容溝３３ａが構成されることになる。
【００３５】
網体４０は、図３及び図４に示すように、矩形状を成す網状部４１の四辺をそれぞれ枠部４２によって支持したものである。本実施の形態１では、網状部４１として、ポリプロピレン等の樹脂製の糸を編むことによって構成したものを適用している。枠部４２は、フレーム材３１，３２，３３に設けた収容溝３１ａ，３２ａ，３３ａに収容することのできる見込み寸法を有した枠基部４２ａと、枠基部４２ａの内周側となる見込み面から内周側に突出した一対の支持片４２ｂとを有した矩形の枠状を成すもので、四辺のそれぞれをフレーム材３１，３２，３３の収容溝３１ａ，３２ａ，３３ａに挿入することのできる外形寸法に構成してある。支持片４２ｂは、枠基部４２ａにおいて見込み方向に並設するように突出した薄板状部分であり、枠基部４２ａと一体に成形してある。但し、実施の形態１では、枠基部４２ａを半硬質のポリ塩化ビニルで成形し、支持片４２ｂを軟質のポリ塩化ビニルで成形するようにしている。図からも明らかなように、一対の支持片４２ｂは、枠基部４２ａからの突出長さが互いに異なるように構成してある。
【００３６】
枠部４２の枠基部４２ａには、係合部４２ｃ及びテーパ状部４２ｄが設けてある。係合部４２ｃは、枠基部４２ａの両側見付け面からそれぞれ突出した部分である。これらの係合部４２ｃは、枠部４２を上方フレーム材３２及び側方フレーム材３３の収容溝３１ａ，３２ａ，３３ａに挿入した場合に互いに対向する内表面に同時に当接することのできる寸法に形成してある。テーパ状部４２ｄは、枠基部４２ａの両側見付け面にそれぞれ傾斜面４２ｅを設けることによって構成してある。具体的には、枠基部４２ａに設けたそれぞれの係合部４２ｃから枠基部４２ａの外周側縁部にわたる部分の見込み寸法が、外周側に向けて漸次減少するように枠基部４２ａの両側に傾斜面４２ｅを設けることによってテーパ状部４２ｄが形成してある。
【００３７】
さらに、枠部４２の枠基部４２ａは、その内部に芯材４３を備えている。芯材４３は、板幅に対して板厚の小さい扁平矩形の断面を有した平角線と称される鋼材（例えば、ばね鋼、硬鋼線、ピアノ線）であり、扁平した表面が見込み方向に沿って延在する姿勢で枠基部４２ａの内部にそれぞれの辺の長手方向に沿って配設してある。芯材４３は、例えば枠基部４２ａと共押し出しすることによって枠基部４２ａの内部に配設しても良いし、予め成形した枠基部４２ａの内部に別途成形した芯材４３を後から挿入しても構わない。いずれの場合にも、枠部４２及び芯材４３は一旦直線状に成形し、その後、網状部４１の外形に沿って矩形状に変形させることによって矩形の枠状に構成してある。枠部４２の両端部は、接着もしくは溶着することによって互いに連結してある。芯材４３についても、無端の矩形状となるように、枠基部４２ａの内部で互いに連結してある。芯材４３の両端部を連結する方法としては、例えば筒体４３ａの内部に芯材４３の両端部をそれぞれ挿入し、筒体４３ａの外周から外力を加えて筒体４３ａを押し潰す（加締める）ことにより行っても良い。また、芯材４３の両端部を互いに接合した状態で接着したり、溶着することによって端部を互いに連結しても構わない。なお、芯材４３は、必ずしも無端状である必要はなく、端部が多少離れていても機能的には問題とならない。また、複数の鋼材を組み合わせて芯材４３を構成するようにしても良い。例えば、枠部４２の上辺と左右の両側辺とが一体となった外形がコの字状の鋼材と、枠部４２の下辺と左右の両側辺とが一体となった外形がコの字状の鋼材とを用意し、これらを組み合わせて矩形状の芯材４３を構成することも可能である。
【００３８】
上述の枠部４２には、図５の（ａ）及び（ｂ）に示すように、支持片４２ｂの相互間に網状部４１の縁部を挿入し、この状態から熱溶着あるいは接着することによって支持片４２ｂの相互間に網状部４１の縁部が支持される。この場合、枠基部４２ａからの支持片４２ｂの突出長さが互いに異なるため、網状部４１を支持片４２ｂの相互間に挿入する際に突出長さの大きな支持片４２ｂがガイドとして機能するようになり、網状部４１を挿入する作業を容易化することができる。
【００３９】
上記のようにして構成した網体４０では、枠部４２を構成する各辺の長手方向に沿って配設した金属製の芯材４３が枠部４２の外形形状を維持するように機能するため、単体での取り扱いが容易となる。特に、実施の形態１のように芯材４３を無端状に構成した場合には、上述の機能が一層顕著となる。しかも、枠部４２に配設した芯材４３は、図１及び図２に示すように、扁平した平面が枠基部４２ａの見込み方向に沿って延在しているため、外周側から枠基部４２ａに外力を付与すれば、比較的容易に弾性的に変形させることが可能である。さらに、枠基部４２ａの外周側縁部には、テーパ状部４２ｄが設けてある。従って、この網体４０によれば、フレーム材３１，３２，３３の収容溝３１ａ，３２ａ，３３ａに対する枠部４２の挿入作業を容易化することができるようになる。
【００４０】
また、網体４０の枠部４２をフレーム材３１，３２，３３の収容溝３１ａ，３２ａ，３３ａに挿入した後においては、係合部４２ｃが収容溝３１ａ，３２ａ，３３ａの内表面に当接した状態で、芯材４３が枠部４２の外形形状を維持するように機能するため、フレーム材３１，３２，３３から不用意に脱落する事態を招来するおそれがない。
【００４１】
上述の状態においても、側方フレーム材３３から係合壁部３３ｄを離脱させれば、網体４０の両側に位置する枠部４２が室内側に露出することになる。従って、網体４０の保守や交換、あるいは建具の掃除を行う等、支持枠体３０から網体４０を取り外す必要が生じた場合にも、その作業を容易に実施することができるようになる。
【００４２】
（実施の形態２）
図６及び図７は、本発明の実施の形態２である建具用網体を適用した建具を示したものである。ここで例示する建具は、実施の形態１と同様、開口枠１１０に設けたオペレータハンドルＨの操作により、開口枠１１０に対して障子２０が室外側に向けて突出するように開く縦すべり出し窓と称されるものである。この建具には、開口枠１１０の上枠１１２、下枠１１１及び左右の縦枠１１３において閉じた障子１２０よりも室内側となる部位にそれぞれフレーム材１３１，１３２，１３３が設けてあり、フレーム材１３１，１３２，１３３によって構成される矩形の支持枠体１３０に網体１４０が支持させてある。
【００４３】
フレーム材１３１，１３２，１３３は、アルミニウム合金や硬質の樹脂によって成形した押し出し形材であり、全長にわたってほぼ一様な断面を有するもので、各枠１１１，１１２，１１３の見付け面に取り付けてある。それぞれのフレーム材１３１，１３２，１３３には、内周側の見込み面に開口する収容溝１３１ａ，１３２ａ，１３３ａが設けてある。収容溝１３１ａ，１３２ａ，１３３ａは、四周で連続するように、各枠１１１，１１２，１１３において見込み方向の位置が互いに同一、かつ開口の見込み方向に沿った寸法がほぼ同一となるように形成してある。
【００４４】
それぞれのフレーム材１３１，１３２，１３３は、見込み方向に沿ったフレーム基部１３１ｂ，１３２ｂ，１３３ｂの見付け面から内周側に向けて互いに対向するように突出した一対の側壁部１３１ｃ，１３２ｃ，１３３ｃを有しており、これら側壁部１３１ｃ，１３２ｃ，１３３ｃの相互間に収容溝１３１ａ，１３２ａ，１３３ａを構成している。収容溝１３１ａ，１３２ａ，１３３ａを構成する側壁部１３１ｃ，１３２ｃ，１３３ｃには、それぞれの突出端縁に互いに対向するように係合条片１３３ｅが設けてある。
【００４５】
上枠１１２、下枠１１１及び一方の縦枠１１３に配設したフレーム材１３１，１３２，１３３については、フレーム基部１３１ｂ，１３２ｂ，１３３ｂからの突出寸法が互いに等しくなうように一対の側壁部１３１ｃ，１３２ｃ，１３３ｃが設けてある。これに対してもう一方の縦枠１１３に配設したフレーム材１３３については、図７に示すように、フレーム基部１３３ｂからの突出寸法が室外側の側壁部１３３ｃに比べて室内側の側壁部１３３ｃが小さくなっている。また、図６からも明らかなように、本実施の形態２では、上方フレーム材３２の室内側に設けた側壁部１３２ｃが、下方フレーム材３１の室内側に設けた側壁部１３１ｃよりも室内側に位置しており、室外側の側壁部１３１ｃ，１３２ｃとの間の隙間は下方フレーム材３１よりも上方フレーム材３２の方が大きくなっている。但し、上方フレーム材３２の室内側に設けた側壁部１３２ｃでは、突出端に設けた係合条片１３３ｅの突出長さが他の係合条片１３３ｅよりも大きく設定してある。従って、収容溝１３１ａ，１３２ａの開口幅については、上方フレーム材３２と下方フレーム材３１とで互いに等しくなっている。
【００４６】
網体１４０は、図８〜図１０に示すように、矩形状を成す網状部１４１の四辺をそれぞれ枠部１４２によって支持したものである。本実施の形態２においても、網状部１４１としては、ポリプロピレン等の樹脂製の糸を編むことによって構成したものを適用している。枠部１４２は、フレーム材１３１，１３２，１３３に設けた収容溝１３１ａ，１３２ａ，１３３ａに収容することのできる見込み寸法を有した枠基部１４２ａと、枠基部１４２ａの一方の見付け面から突出した係合部１４２ｂとを有した矩形の枠状を成すもので、四辺のそれぞれをフレーム材１３１，１３２，１３３の収容溝１３１ａ，１３２ａ，１３３ａに挿入することのできる外形寸法に構成してある。枠基部１４２ａは、断面がほぼ矩形を成すもので、外周側部分にテーパ状部１４２ｃを有している。テーパ状部１４２ｃは、枠基部１４２ａの外周側に位置する両側の縁部にそれぞれ傾斜面１４２ｄを設けることによって構成してある。具体的には、枠基部１４２ａの外周側となる部分の見込み寸法が、外周側に向けて漸次減少するように傾斜面１４２ｄを設けることによってテーパ状部１４２ｃが形成してある。係合部１４２ｂは、枠基部１４２ａの一方の見付け面において外周側に位置する縁部から内周側に向けて延在したヒレ状部分である。この係合部１４２ｂの延在長さは、枠部１４２をフレーム材１３１，１３２，１３３の収容溝１３１ａ，１３２ａ，１３３ａに挿入した場合に延在端部が係合条片１３３ｅを通過することの寸法に設定してある。本実施の形態２では、直線状に成形した４本の枠部１４２を四周枠組みすることによって矩形状に構成してある。具体的には、左右に配設した枠部１４２の両端部間に上下となる枠部１４２を連結させることによって矩形状に構成してある。図からも明らかなように、一つの片を構成する枠部１４２の見込み面には引き手１４４が設けてある。引き手１４４は、枠部１４２の見込み面からから内周側に突出した帯状の部材である。
【００４７】
また、枠部１４２の枠基部１４２ａは、その内部に芯材１４３を備えている。芯材１４３は、実施の形態１と同様の平角線と称される鋼材であり、扁平した表面が見込み方向に沿って延在する姿勢で枠基部１４２ａに形成した角孔１４２ｅの内部にそれぞれの辺の長手方向に沿って配設してある。芯材１４３は、無端の矩形状となるように、その両端部が枠基部１４２ａの内部で互いに連結してある。芯材１４３の両端部を連結する方法としては、例えば筒体１４３ａの内部に芯材１４３の両端部をそれぞれ挿入し、筒体１４３ａの外周から外力を加えて筒体１４３ａを押し潰す（加締める）ことにより行っても良い。また、芯材１４３の両端部を互いに接合した状態で接着したり、溶着することによって端部を互いに連結しても構わない。
【００４８】
一連の芯材１４３を枠基部１４２ａの内部において矩形状となるように配設するため、左右に配設した枠部１４２には、図１１に示すように、それぞれの両端部に芯材導出切欠１４２ｆが設けてある。芯材導出切欠１４２ｆは、枠部１４２の内周側見込み面に形成したものである。上下に配設した枠部１４２の端面を左右に配設した枠部１４２の見込み面に当接した場合には、それぞれの枠基部１４２ａに設けた角孔１４２ｅが芯材導出切欠１４２ｆを介して互いに連通した状態となる。
【００４９】
上述の枠部１４２には、図１２の（ａ）及び（ｂ）に示すように、枠基部１４２ａにおいて係合部１４２ｂを設けていない見付け面に網状部１４１の周縁部を当接し、この状態から熱溶着あるいは接着することによって網状部１４１の縁部が枠基部１４２ａに支持されることになる。
【００５０】
上記のようにして構成した網体１４０では、枠部１４２を構成する各辺の長手方向に沿って配設した金属製の芯材１４３が枠部１４２の外形形状を維持するように機能するため、単体での取り扱いが容易となる。特に、実施の形態２のように芯材１４３を無端状に構成した場合には、上述の機能が一層顕著となる。しかも、枠部１４２に配設した芯材１４３は、図６及び図７に示すように、扁平した平面が枠基部１４２ａの見込み方向に沿って延在しているため、外周側から枠基部１４２ａに外力を付与すれば、比較的容易に弾性的に変形させることが可能である。さらに、枠基部１４２ａの外周側縁部には、テーパ状部１４２ｃが設けてある。また、図１３に示すように、一方の縦枠１１３に配設したフレーム材１３３については、フレーム基部１３３ｂからの突出寸法が室内側の側壁部１３３ｃに比べて室外側の側壁部１３３ｃが大きくなっているため、室外側の側壁部１３３ｃに枠部１４２を当接させれば、収容溝１３３ａへのガイドとして機能する。従って、この網体１４０によれば、フレーム材１３１，１３２，１３３の収容溝１３１ａ，１３２ａ，１３３ａに対する枠部１４２の挿入作業を容易化することができるようになる。
【００５１】
また、網体１４０の枠部１４２をフレーム材１３１，１３２，１３３の収容溝１３１ａ，１３２ａ，１３３ａに挿入した後においては、係合部１４２ｂが収容溝１３１ａ，１３２ａ，１３３ａの係合条片１３３ｅに対向して配置された状態で、芯材１４３が枠部１４２の外形形状を維持するように機能するため、フレーム材１３１，１３２，１３３から不用意に脱落する事態を招来するおそれがない。
【００５２】
上述の状態においても、引き手１４４を引っ張るように操作すれば、枠部１４２が内周側に適宜変形してフレーム材１３１の収容溝１３１ａから抜け出ることになる。従って、網体１４０の保守や交換、あるいは建具の掃除を行う等、支持枠体１３０から網体１４０を取り外す必要が生じた場合にも、その作業を容易に実施することができるようになる。
【００５３】
なお、上述した実施の形態１及び実施の形態２では、いずれも縦すべり出し窓の室内側に固定網戸として設けられる網体について例示しているが、本発明はこれらに限定されない。例えば障子が室内側に開く建具においては障子よりも室外側となる部位に固定網戸として設けるようにしても良いし、障子がスライドする引き窓や上げ下げ窓において障子よりも室外側、あるいは室内側に可動網戸として設けられる網体にも適用することが可能である。可動網戸の場合には、支持枠体である框に網体が設けられることになり、開口枠に対してスライド可能に支持されることになる。
【００５４】
また、上述した実施の形態１及び実施の形態２では、外形が矩形の網体を例示しているが、必ずしも網体の外形形状は矩形のものに限らず、矩形以外の多角形や円形であっても良い。
【００５５】
さらに、上述した実施の形態１及び実施の形態２では、いずれもフレーム材の見込み面に収容溝を形成しているが、フレーム材の見付け面に収容溝を設けるようにしても構わない。
【００５６】
またさらに、上述した実施の形態１及び実施の形態２では、いずれも芯材として平角線を適用しているが、芯材の断面は円形、もしくは四角以外の多角形状であっても良い。また、芯材は中実のものである必要はなく、中空状ものを適用しても構わない。
【符号の説明】
【００５７】
３０，１３０  支持枠体、３１，３２，３３，１３１，１３２，１３３  フレーム材、３１ａ，３２ａ，３３ａ，１３１ａ，１３２ａ，１３３ａ  収容溝、３１ｃ，３２ｃ，３３ｃ，１３１ｃ，１３２ｃ，１３３ｃ  側壁部、３４  側壁部材、３１ｂ，３２ｂ，３３ｂ，１３１ｂ，１３２ｂ，１３３ｂ  フレーム基部、３４ｅ  係止部、４０，１４０  網体、４１，１４１  網状部、４２，１４２  枠部、４２ａ，１４２ａ  枠基部、４２ｂ  支持片、４２ｃ，１４２ｂ  係合部、４２ｄ，１４２ｃ  テーパ状部、４３，１４３  芯材、１４２ｆ  芯材導出切欠、１４４  引き手
【図１】
2017057691.tif 000003
【図２】
2017057691.tif 000004
【図３】
2017057691.tif 000005
【図４】
2017057691.tif 000006
【図５】
2017057691.tif 000007
【図６】
2017057691.tif 000008
【図７】
2017057691.tif 000009
【図８】
2017057691.tif 000010
【図９】
2017057691.tif 000011
【図１０】
2017057691.tif 000012
【図１１】
2017057691.tif 000013
【図１２】
2017057691.tif 000014
【図１３】
2017057691.tif 000015